(57)【要約】【課題】読み取られた画像データをインターネット上のサービスに対して直接送信する際に必要な各種設定に関する操作性を向上させることができる画像読取装置を提供する。【解決手段】画像読取装置１は、インターネット１３上の複数の外部サービス１４〜１８のうち、操作者が利用するサービスをパーソナライズするためのパーソナライズドサービス一覧情報をＩＣカード９から取得し、取得されたサービス一覧情報に基づいて操作者向けに設定画面、設定手順、設定内容をパーソナライズし、インターネット１３を介して、操作者向けにパーソナライズされた各種設定を画像データとともに送信する。【選択図】      図１
2004312302.tif 000002
【特許請求の範囲】
【請求項１】
原稿画像を読み取り、その画像データを出力する画像読取手段と、ネットワークを介して前記画像読取手段から出力された画像データに対するサービスを提供する外部サービスと接続するための接続手段とを備える画像読取装置であって、
前記外部サービスを操作者が利用するためにパーソナライズするためのパーソナライズドサービス情報を取得するパーソナライズドサービス情報取得手段と、
前記取得されたパーソナライズドサービス情報に基づいて前記操作者向けに設定画面、設定手順、設定内容をパーソナライズするためのパーソナライズ手段と、
前記ネットワークを介して、前記操作者向けに前記パーソナライズ手段によってパーソナライズされた内容に基づく各種設定を前記画像データとともに送信する送信手段と
を有することを特徴とする画像読取装置。
【請求項２】
前記パーソナライズドサービス情報取得手段は、操作者識別情報および該操作者に対応するパーソナライズドサービス情報が記憶されている着脱可能な記憶媒体の読取手段と、前記記憶媒体に記憶されている操作者識別情報に基づいて操作者の識別を行う識別手段とを含むことを特徴とする請求項１記載の画像読取装置。
【請求項３】
前記パーソナライズドサービス情報取得手段は、操作者識別情報および該操作者に対応するパーソナライズドサービス情報が記憶されている無線通信可能な記憶媒体との無線通信手段と、前記記憶媒体に記憶されている操作者識別情報に基づいて操作者の識別を行う識別手段とを含むことを特徴とする請求項１記載の画像読取装置。
【請求項４】
前記ネットワーク上には、操作者識別情報毎に対応付けてパーソナライズドサービス情報を保持する外部サーバが収容され、前記パーソナライズドサービス情報取得手段は、前記ネットワークを介して操作者識別情報を送信し、該送信された操作者識別情報に対応するパーソナライズドサービス情報を前記外部サーバから取得することを特徴とする請求項１記載の画像読取装置。
【請求項５】
前記ネットワーク上には、操作者識別情報および装置識別情報毎に対応付けてパーソナライズドサービス情報を保持する外部サーバが収容され、前記パーソナライズドサービス情報取得手段は、前記ネットワークを介して操作者識別情報および装置識別情報を送信し、該送信された操作者識別情報および装置識別情報に対応するパーソナライズドサービス情報を前記外部サーバから取得することを特徴とする請求項１記載の画像読取装置。
【請求項６】
前記複数の外部サービスはインターネット上に存在し、前記外部サーバはイントラネット上に存在することを特徴とする請求項４または５記載の画像読取装置。
【請求項７】
前記パーソナライズドサービス情報には、操作者が使用するサービスの識別情報と、該使用されるサービスにおける各種設定の初期値とが含まれていることを特徴とする請求項１ないし６のいずれか１つに記載の画像読取装置。
【請求項８】
前記パーソナライズドサービス情報には、操作者が使用するサービスの識別情報と、該使用されるサービスにおける操作者が設定可能な設定値とが含まれていることを特徴とする請求項１ないし６のいずれか１つに記載の画像読取装置。
【請求項９】
前記パーソナライズドサービス情報には、操作者が使用するサービスの識別情報と、該使用されるサービスにおける使用禁止設定値とが含まれていることを特徴とする請求項１ないし６のいずれか１つに記載の画像読取装置。
【請求項１０】
前記パーソナライズドサービス情報には、操作者が使用するサービスの識別情報と、該使用されるサービスにおける操作者が使用可能な設定項目とが含まれていることを特徴とする請求項１ないし６のいずれか１つに記載の画像読取装置。
【請求項１１】
前記パーソナライズドサービス情報には、操作者が使用するサービスの識別情報と、該使用されるサービスにおける使用禁止設定項目とが含まれていることを特徴とする請求項１ないし６のいずれか１つに記載の画像読取装置。
【請求項１２】
前記パーソナライズ手段により、使用するサービスをパーソナライズしない場合は、前記外部サービスを使用禁止にすることを特徴とする請求項１ないし１１記載の画像読取装置。
【請求項１３】
前記外部サービスは、前記送信された画像データのプリントおよび製本サービスであり、該サービスに対する各種設定は、プリント体裁および製本体裁に関する設定を含むことを特徴とする請求項１ないし１２のいずれか１つに記載の画像読取装置。
【請求項１４】
前記外部サービスは、前記送信された画像データのプリントおよび製本サービスであり、該サービスに対する各種設定は、プリント物の配送先に関する設定を含むことを特徴とする請求項１ないし１２のいずれか１つに記載の画像読取装置。
【請求項１５】
前記パーソナライズドサービス情報には、前記配送先として、操作者自身への配送先情報が含まれていることを特徴とする請求項１４記載の画像読取装置。
【請求項１６】
前記パーソナライズドサービス情報には、サービス費用の請求先として、操作者自身を請求先とする情報が含まれていることを特徴とする請求項１ないし１５のいずれか１つに記載の画像読取装置。
【請求項１７】
前記パーソナライズドサービス情報には、サービスを使用する場合のユーザ認証に使用する認証データの一部が含まれていることを特徴とする請求項１ないし１６のいずれか１つに記載の画像読取装置。
【請求項１８】
前記パーソナライズドサービス情報取得手段は、複数のパーソナライズドサービス情報を取得し、前記パーソナライズ手段は、前記取得された複数のパーソナライズドサービス情報に基づいて前記操作者向けにパーソナライズされたサービスのうち、所望のサービスを選択する選択手段を含むことを特徴とする請求項１ないし１７のいずれか１つに記載の画像読取装置。
【請求項１９】
前記パーソナライズ手段により、前記取得されたパーソナライズドサービス情報に基づいて前記操作者向けにパーソナライズされたサービスに対する各種設定を、新規のパーソナライズドサービス情報として、前記パーソナライズドサービス情報の取得元に追加する追加手段を有することを特徴とする実施態様１８記載の画像読取装置。
【請求項２０】
原稿画像を読み取り、その画像データを出力する画像読取手段と、ネットワークを介して前記画像読取手段から出力された画像データに対するサービスを提供する外部サービスと接続するための接続手段とを備える画像読取装置のパーソナライズド方法であって、
前記外部サービスを操作者が利用するためにパーソナライズするためのパーソナライズドサービス情報を取得するパーソナライズドサービス情報取得工程と、
前記取得されたパーソナライズドサービス情報に基づいて前記操作者向けに設定画面、設定手順、設定内容をパーソナライズするためのパーソナライズ工程と、
前記ネットワークを介して、前記操作者向けに前記パーソナライズ工程でパーソナライズされた内容に基づく各種設定を前記画像データとともに送信する送信工程と
を有することを特徴とするパーソナライズド方法。
【請求項２１】
原稿画像を読み取り、その画像データを出力する画像読取手段と、ネットワークを介して前記画像読取手段から出力された画像データに対するサービスを提供する外部サービスと接続するための接続手段とを備える画像読取装置上で実行されるプログラムであって、
前記外部サービスを操作者が利用するためにパーソナライズするためのパーソナライズドサービス情報を取得するパーソナライズドサービス情報取得モジュールと、
前記取得されたパーソナライズドサービス情報に基づいて前記操作者向けに設定画面、設定手順、設定内容をパーソナライズするためのパーソナライズモジュールと、
前記ネットワークを介して、前記操作者向けに前記パーソナライズモジュールによってパーソナライズされた内容に基づく各種設定を前記画像データとともに送信する送信モジュールと
を有することを特徴とするプログラム。
【請求項２２】
請求項２１記載のプログラムをコンピュータ読取り可能に格納したことを特徴とする記憶媒体。
【発明の詳細な説明】
【０００１】
【発明の属する技術分野】
本発明は、原稿画像を読み取り、その画像データを出力する画像読取手段と、ネットワークを介して前記画像読取手段から出力された画像データに対するサービスを提供する外部サービスと接続するための接続手段とを備える画像読取装置、そのパーソナライズド方法、プログラムおよび記憶媒体に関する。
【０００２】
【従来の技術】
従来、ユーザがインターネット上のプリントサービスなどを利用する場合、ユーザは、ＰＣ（パーソナルコンピュータ）などから、Ｗｅｂブラウザを用いて、インターネットのＷｅｂサーバとして公開されたサービスに対してアクセスしている。このとき、プリントしたい原稿が電子データの場合は、ＰＣから電子データをそのままＷｅｂサーバに送信すればよいが、原稿が紙原稿の場合は、画像読取装置で紙原稿を読み取り、読み取った電子データをユーザのＰＣまで移動し、その後、ユーザのＰＣからＷｅｂサーバにアクセスして、読み取った電子データを送付する必要がある。
【０００３】
【発明が解決しようとしている課題】
しかしながら、上述した従来の方法では、画像読取装置で紙原稿を読み取り、その読み取りにより得られた画像データをユーザのＰＣまで移動させるという操作、その画像データをＰＣからＷｅｂサーバに送信するという操作などの少なくとも２つの操作が必要であり、操作に手間が掛かる。
【０００４】
また、ネットワーク上の画像読取装置とＰＣとがネットワークを介して接続されている場合、画像データがネットワーク上を移動するために、ネットワークに負荷を掛け、また、送信時間およびユーザの待ち時間が長くなるという問題がある。
【０００５】
これらの問題を解決するために、画像読取装置から、読み取られた画像データをインターネット上のサービスに対して直接送信する方法が考えられる。しかしながら、この方法においても、以下のような問題がある。
【０００６】
画像読取装置が複数のユーザにより共有される場合、この画像読取装置に設けられている操作画面が複数のユーザに共通の操作画面となるが、この操作画面を用いた画像データ送信のための操作性は、ユーザのＰＣにおける操作性に比して劣る。具体的には、画像読取装置の操作画面はＰＣの操作画面に比して小さく、また、画像読取装置の操作部には、ＰＣなどように、キーボードやマウスなどが設けられていないので、画像読取装置の操作部を用いてインターネット上の各サービスに関する様々な設定を行う際の操作性は、ＰＣ上で設定を行う際の操作性に比して劣ることになる。
【０００７】
本発明の目的は、読み取られた画像データをインターネット上のサービスに対して直接送信する際に必要な各種設定に関する操作性を向上させることができる画像読取装置、パーソナライズド方法、プログラムおよび記憶媒体を提供することにある。
【０００８】
【課題を解決するための手段】
本発明は、上記目的を達成するため、原稿画像を読み取り、その画像データを出力する画像読取手段と、ネットワークを介して前記画像読取手段から出力された画像データに対するサービスを提供する外部サービスと接続するための接続手段とを備える画像読取装置であって、前記外部サービスを操作者が利用するためにパーソナライズするためのパーソナライズドサービス情報を取得するパーソナライズドサービス情報取得手段と、前記取得されたパーソナライズドサービス情報に基づいて前記操作者向けに設定画面、設定手順、設定内容をパーソナライズするためのパーソナライズ手段と、前記ネットワークを介して、前記操作者向けに前記パーソナライズ手段によってパーソナライズされた内容に基づく各種設定を前記画像データとともに送信する送信手段とを有することを特徴とする。
【０００９】
また、本発明は、上記目的を達成するため、原稿画像を読み取り、その画像データを出力する画像読取手段と、ネットワークを介して前記画像読取手段から出力された画像データに対するサービスを提供する外部サービスと接続するための接続手段とを備える画像読取装置のパーソナライズド方法であって、前記外部サービスを操作者が利用するためにパーソナライズするためのパーソナライズドサービス情報を取得するパーソナライズドサービス情報取得工程と、前記取得されたパーソナライズドサービス情報に基づいて前記操作者向けに設定画面、設定手順、設定内容をパーソナライズするためのパーソナライズ工程と、前記ネットワークを介して、前記操作者向けに前記パーソナライズ工程でパーソナライズされた内容に基づく各種設定を前記画像データとともに送信する送信工程とを有することを特徴とする。
【００１０】
また、本発明は、上記目的を達成するため、原稿画像を読み取り、その画像データを出力する画像読取手段と、ネットワークを介して前記画像読取手段から出力された画像データに対するサービスを提供する外部サービスと接続するための接続手段とを備える画像読取装置上で実行されるプログラムであって、前記外部サービスを操作者が利用するためにパーソナライズするためのパーソナライズドサービス情報を取得するパーソナライズドサービス情報取得モジュールと、前記取得されたパーソナライズドサービス情報に基づいて前記操作者向けに設定画面、設定手順、設定内容をパーソナライズするためのパーソナライズモジュールと、前記ネットワークを介して、前記操作者向けに前記パーソナライズモジュールによってパーソナライズされた内容に基づく各種設定を前記画像データとともに送信する送信モジュールとを有することを特徴とする。
【００１１】
また、本発明は、上記目的を達成するため、請求項２１記載のプログラムをコンピュータ読取り可能に格納したことを特徴とする。
【００１２】
【発明の実施の形態】
以下、本発明の実施形態について図面を参照しながら説明する。
【００１３】
（第１実施形態）
図１は本発明の第１実施形態に係る画像読取装置を含む画像読取システムの構成を示すブロック図である。
【００１４】
画像読取システムは、図１に示すように、画像読取装置１を含み、本画像読取システムにおいては、複数のユーザが画像読取装置１からインターネット１３を介して様々なサービス１４〜１８を提供するサイトにアクセスし、これらのサービス１４〜１８を享受することが可能である。
【００１５】
ここで、サービス１４は、プリント＆製本サービスＡであり、画像読取装置１で読み取られた画像データやＰＣ（図示せず）で作成された文書データなどを受け取ってプリントし、その印刷物に対してくるみ製本などの製本作業を施し、指示された場所に宅配サービスなどで配送するサービスなどを行うものである。サービス１５は、サービス１４を提供する業者とは別の業者が提供するプリント＆製本サービスＢであり、そのサービス内容は、基本的にはサービス１４の内容と同等である。ただし、サービス１５は、値段、製本サービスのラインアップ、納期などの点でサービス１４とは異なる。サービス１６は、消耗品発注サービスＣであり、例えば、トナーやコピー用紙を発注するためのサービスである。サービス１７は、コンテンツ配信サービスＤであり、文書コンテンツを保持し、要望により配信するサービスである。サービス１８は、文書保管サービスＥであり、画像読取装置１で読み取られた画像データやＰＣで作成された文書データなどを受け取り、保管するサービスである。
【００１６】
画像読取装置１は、紙原稿を読み取るための画像読取部２と、画像データを格納するための画像メモリ３と、画像データに基づいて画像形成を行うための画像形成部４と、操作部５と、制御部６と、ネットワークインタフェース（Ｎ／Ｗ−Ｉ／Ｆ）７と、ＩＣカードリーダ／ライタ部８と、プログラム、文書データ、画像データなどの各種データを格納するためのＨＤ（ハードディスク）１２とを備える。
【００１７】
操作部５は、操作者が様々な操作指示を行うためのものであり、コピー時の各種設定、画像読取時の各種設定の他に、インターネット１３上の各種サービスを受ける場合の各種設定を行うことが可能である。また、操作部５には、上記操作指示を入力するためのタッチパネル付き液晶表示部（図２を参照）が設けられている。制御部６は、ＨＤ１２に格納されているプログラムに基づいて装置全体を制御するとともに、操作部５から設定された内容に基づいて各種処理を実行する。ＩＣカードリーダ／ライタ部８は、着脱可能な記憶媒体であるＩＣカード９内のデータを読み書きするためのものである。ＩＣカード９内には、そのＩＣカードの所有者を特定するための操作者情報１０と、その操作者にパーソナライズされたサービス一覧情報１１とが保存されている。
【００１８】
画像読取装置１は、画像データを、インターネット１３上の対応するサービスを提供するサイトへ直接送信する画像データ送信機能、プリント機能およびコピー機能を有する。
【００１９】
具体的には、上記画像データ送信機能においては、画像読取部２により紙原稿（図示せず）が読み取られ、これにより得られた画像データが画像メモリ３に一旦書き込まれた後に、制御部６、ネットワークインタフェース７、ネットワークケーブル１９およびインターネット１３を経由して、インターネット１３上の選択されたサービスに送信される。これにより、選択されたサービスにより、上記画像データに対するサービスを受けることができる。
【００２０】
また、上記コピー機能においては、画像読取部２で紙原稿が読み取られ、これにより得られた画像データが画像メモリ３に一旦書き込まれた後に、画像形成部４に送られる。そして、画像形成部４において、コピー画像が形成される。
【００２１】
さらに、上記プリント機能においては、インターネット１３上のサービス１７（コンテンツ配信サービスＤ）から配信された文書データや画像データがインターネット１３、ネットワークケーブル１９、ネットワークインタフェース７および制御部６を経由して受信され、受信された画像は、必要に応じて展開処理が施された後に、画像データとして画像メモリ３に書き込まれる。そして、画像メモリ３から画像データが読み出されて画像形成部４に送られ、画像形成部４において画像形成が行われる。
【００２２】
次に、ＩＣカードリーダ／ライタ部８にＩＣカード９が装着された場合の操作画面について図２を参照しながら説明する。図２はＩＣカードリーダ／ライタ部８にＩＣカード９が装着された場合に、操作部５内のタッチパネル付き液晶表示部２１に表示されるＩＣカード関連の操作画面の一例を示す図である。
【００２３】
ＩＣカードリーダ／ライタ部８にＩＣカード９が装着されると、図２に示すように、操作部５に設けられているタッチパネル付き液晶表示部２１に、パスワードの入力欄を含むメッセージ２２と、各種操作キー２３，２４，２５とが表示される。ここでは、メッセージ２２として、個人別カードが装着されている旨が表示されるとともに、操作者がそのＩＣカードの正当な所有者か否かを確認するためのパスワードの入力欄が表示される例が示されている。この入力欄に正しいパスワードが入力されると、現在装着されているＩＣカード９が正当な所有者のものであると認証され、操作者による操作キー２３，２４，２５の操作が受け付け可能な状態になる。
【００２４】
操作キー２３は、パーソナライズドサービスキーであり、このキー２３が押されると、操作画面が図３または図４に示すような各操作者別のサービス一覧画面に遷移する。操作キー２４は、汎用サービスキーであり、このキー２４が押されると、操作画面が全ての操作者に共通のサービス一覧画面（図示せず）に遷移する。この全ての操作者に共通のサービスとは、汎用サービスと呼ばれるものであり、全ての操作者が利用可能なサービスである。また、本実施形態においては、ＩＣカード９が装着されていない場合でも、操作部５に設けられているサービスエントリキー（図示せず）を押下することによって、図２と同様な操作画面を表示させることが可能であり、この画面上で汎用サービスキー２４に相当するキーを押せば、同様に、操作者に共通のサービス（汎用サービス）一覧画面（図示せず）が表示されることになる。操作キー３４は、終了キーであり、このキー３４が押されると、この操作画面が終了される。
【００２５】
汎用サービスは、全ての操作者に共通なものであるので、ある操作者にとっては使い難いものである場合があり、またはある操作者にとっては必要でないものである場合がある。また、インターネット１３上のサービスはその数に上限がなく、このサービスとしては、ＰＣ向けのサービス、画像読取装置向けのサービス、プリンタ向けのサービスなど、様々なサービスが存在可能であり、それらのサービスの中から自分が使用したいサービスを毎回検索して探すには、非常に手間が掛かる。
【００２６】
次に、パーソナライズドキー２３が押された場合に表示される操作者別のサービス一覧画面について図３および図４を参照しながら説明する。図３は２３４５６  ｋａｄｏｗａｋｉというユーザＩＤを有する操作者のサービス一覧画面例を示す図、図４は２３４５７  ＴａｎａｋａというユーザＩＤを有する操作者のサービス一覧画面例を示す図である。
【００２７】
２３４５６  ｋａｄｏｗａｋｉというユーザＩＤを有する操作者が所有するＩＣカードが装着された状態で図２に示す画面上でパーソナライズドサービスキー２３が押されると、図３に示すように、２３４５６  ｋａｄｏｗａｋｉ用にパーソナライズされたサービス一覧画面がタッチパネル付き液晶表示部２１に表示される。この画面においては、個別に特定された６つのサービス（以下、パーソナライズドサービスという）にそれぞれ割り当てられているパーソナライズドサービスキー２５〜３０が表示される。
【００２８】
ここで、パーソナライズドサービスキー２５は、プリント＆製本サービスＡ１４に割り当てられたキーであり、このキーが押下されると、プリント＆製本サービスＡ１４（当該サービスを提供するサイト）への接続が行われ、くるみ製本のサービスが受けられる。このくるみ製本のサービスは、画像読取部２で紙原稿から読み取られた画像データをプリント出力し、このプリント出力に対してＡ４サイズのくるみ製本を行い、このくるみ製本物を、ユーザＩＤ２３４５６  ｋａｄｏｗａｋｉを有する操作者により指定された住所まで配送するというサービスである。一般に、ステープル綴じなどの後処理は、オフィスにあるＭＦＰ（Ｍｕｌｔｉ  Ｆｕｎｃｔｉｏｎ  Ｐｅｒｉｐｈｅｒａｌ）に設けられているステープル装置を使用して実施することも可能であるが、くるみ製本などの製本作業には、糊付けなどを行う専用のバインダ機、くるんだ後に用紙束の端を断裁するための断裁機などが必要であり、くるみ製本などの製本作業をオフィスで実施することは困難である。よって、くるみ製本などの製本作業が必要な場合には、パーソナライズドサービスキー２５に割り当てられているパーソナライズドサービスが利用される。
【００２９】
パーソナライズドサービスキー２６は、プリント＆製本サービスＡ１４に割り当てられたキーであり、このキーを押下することにより、画像読取部２で紙原稿から読み取られた画像データをプリント出力し、このプリント出力に対してＡ４サイズの中綴じ製本を行い、この中綴じ製本物を部長会のメンバーに配送するというサービスを受けることができる。最近のＭＦＰの中には、中綴じ機能を有する装置もあるが、中綴じ処理可能なページ数が例えば１６ページ程度に制限されている場合が多い。そこで、例えば３２ページ程度の文書の中綴じ製本を行いたい場合には、パーソナライズドサービスキー２６に割り当てられているパーソナライズドサービスが利用される。
【００３０】
パーソナライズドサービスキー２７は、プリント＆製本サービスＢ１５に割り当てられたキーであり、このキーを押下することにより、画像読取部２で紙原稿から読み取られた画像データをＡ１サイズのポスターとして出力するポスター印刷を行い、指定された販売店に配送するというサービスを受けることができる。このパーソナライズドサービスは、オフィスにＡ１サイズの印刷機がない場合や、印刷後にラミネート加工などの特殊加工をしたい場合などに、利用されるものである。
【００３１】
パーソナライズドサービスキー２８，２９にそれぞれ割り当てられたパーソナライズドサービスは、画像読取機能とは関係がないサービスであり、各パーソナライズドサービスキー２８，２９が押下されると、トナーやコピー用紙を発注するための消耗品注文サービスＣ１６への接続が行われる。
【００３２】
パーソナライズドサービスキー３０に割り当てられたパーソナライズドサービスは、印刷機能と関係するサービスであり、パーソナライズドサービスキー３０が押下されると、当日のプリンタ業界記事のプルプリントが発注するためのコンテンツ配信サービスＤ１７への接続が行われる。
【００３３】
２３４５７  ＴａｎａｋａというユーザＩＤを有する操作者のＩＣカードが装着された状態で、図２に示す操作画面上でパーソナライズドサービスキー２３が押下された場合、図４に示すように、２３４５７  Ｔａｎａｋａ用にパーソナライズされたサービス一覧画面がタッチパネル付き液晶表示部２１に表示される。この画面においては、３つのパーソナライズドサービスにそれぞれ割り当てられているパーソナライズドサービスキー３１〜３３が表示される。
【００３４】
例えば、パーソナライズドサービスキー３１は、プリント＆製本サービスＢ１５を利用するためのキーであり、このキーを押下することにより、画像読取部２で紙原稿から読み取られた画像データに基づいてＬＴＲサイズ（レターサイズ）の片綴じ（ステープル）製本を行い、この製本物を２３４５７  ＴａｎａｋａというユーザＩＤを有する操作者により指定された住所まで配送するというサービスを受けることができる。一般に、日本ではＬＴＲサイズの用紙を常備していない場合が多く、上記サービスはＬＴＲサイズのコピーを行う場合などに利用される。このように、２３４５６  ｋａｄｏｗａｋというユーザＩＤを有する操作者と、２３４５７  ＴａｎａｋａというユーザＩＤを有する操作者とでは、同じプリント＆製本サービスＢを使用する場合でも、そのサービスにおいて利用する詳細サービスの内容が違う場合がある。
【００３５】
パーソナライズドサービスキー３２は、ポスター印刷のサービスを利用するためのキーである。パーソナライズドサービスキー３３が押下されると、コンテンツ配信サービスＤ１７への接続が行われ、一週間分のＰＣ業界記事のプルプリントの配信を受けることができる。
【００３６】
このように、ユーザ毎に、自分の業務内容や、業務フローや、好みに応じて、使用するサービスを選択し、さらにそのサービスにおいてよく使う設定をプリセットしたパーソナライズドサービスの一覧をサービス一覧画面に表示することにより、画像読取装置１からインターネット１３上の各サービスを利用する際の操作環境を使い易いものとすることができる。
【００３７】
次に、上記パーソナライズドサービスキーが押下された場合に表示される操作画面について図５を参照しながら説明する。図５は図３のユーザＩＤ２３４５６  ｋａｄｏｗａｋｉ向けサービス一覧画面において、パーソナライズドサービスキー２５を押下した場合の操作画面例を示す図である。
【００３８】
例えば図３のユーザＩＤ２３４５６  ｋａｄｏｗａｋｉ向けサービス一覧画面において、パーソナライズドサービスキー２５が押下されると、図５に示すよう操作画面がタッチパネル付き液晶表示部２１に表示される。この画面上には複数の表示領域４１〜４４が設けられており、表示領域４１には、パーソナライズドサービスの名称、Ｕｓｅｒ  Ｎａｍｅ、サービスの各設定項目の変更方法の案内が表示される。そして、表示領域４２には、サービスの各設定項目の名称が表示され、表示領域４３には、それらの項目に対する設定値が表示される。これらの設定項目とその設定値の初期値とは、ＩＣカード９内のサービス一覧情報１１から読み出されたものであり、図５の操作画面に表示される。図５の操作画面例においては、接続サービスの初期値は、プリント＆製本サービスＡ１４であり、仕上げサイズの初期値はＡ４であり、部数の初期値は１部である。片面／両面の初期値は両面であり、カラー／白黒の初期値はカラーであり、製本の初期値はくるみ製本である。さらに配送先の初期値は操作者自身宛であり、このサービスを使用するときの費用負担元、すなわち費用の請求先の初期値は操作者自身の所属部門であり、また発注者名の初期値も操作者自身とされている。
【００３９】
表示領域４４には、各設定項目の値を変更するためのキーが表示される。上下キー（図示せず）で変更対象を選択すると、変更対象になったキーは反転し、その状態で左右キー（図示せず）を押すと、各設定項目の他の設定値が表示領域４３に表示される。本実施形態では、図５の操作画面表示時点で、画像読取装置１がプリント＆製本サービスＡ１４に接続され、このプリント＆製本サービスＡ１４に対し、各設定項目の他の設定値が問い合わされる。すなわち、他の設定値候補を入手する方式が採用されている。
【００４０】
必要に応じて各設定項目の設定値が変更された後に発注キー４６が押下されると、紙原稿が読み取られ、その画像データと指定されたサービスにおける各設定値とがインターネット上の指定されたサービスを提供するサイトに送信される。これにより、操作者に提供されるサービス内容が確定される。
【００４１】
このように、その操作者の利用頻度が高いサービスと、そのサービスを利用する際の設定すべき項目の設定値とを、パーソナライズドサービスに初期値として保持することにより、その初期値の変更が必要なければ、図５の操作画面において、設定値を変更することなく、発注キー４６を押すだけで発注が可能となる。
【００４２】
また、必要に応じて各設定項目の設定値を変更した後、設定の保存キー４５を押すと、画面が保存画面（図示せず）に遷移し、図５の画面上で設定された各設定値群が新たなパーソナライズドサービスとしてサービス一覧情報に新規追加されるか、またはユーザ指示により既存のパーソナライズドサービスと置き換えられることになる。
【００４３】
なお、本実施形態では、説明の簡単化のために、図５の操作画面をリスト方式の表示画面としているが、これに代えて、上記操作画面を、プリント＆製本サービスＡ１４を提供するＷｅｂサーバが提供するＨＴＭＬなどで記述されたＷｅｂ画面とし、それを用いて設定を行うようにしてもよい。その場合でも、各設定項目の初期値としては、ＩＣカード９内の、サービス一覧情報１１から読み出されたものが使用される。
【００４４】
本実施形態のように、独自の操作画面にすることにより、設定可能な設定項目自体もパーソナライズ可能となるとともに、画像読取装置１にＷｅｂブラウザを搭載する必要がない。一方、Ｗｅｂ画面で操作する場合には、設定項目自体のパーソナライズは困難であるものの、ＰＣで操作する場合と同じ操作性を提供することができる。
【００４５】
また、Ｗｅｂ画面をＨＴＭＬなどで表示する代わりに、そのサービスで設定可能な項目と、その各項目で設定可能な設定値のリストをＸＭＬデータなどの形式で、インターネットサービスから一括して入手し、それに基づいて、図５の操作画面を、画像読取装置１側で制御するように構成してもよい。この場合、設定を変える度に、設定可能設定値候補をＷｅｂサーバに問い合わせる必要がないという利点がある。
【００４６】
また、そのＸＭＬデータをＩＣカード９に保持するように構成してもよい。このような構成にすることにより、図５の操作画面表示時点で、プリント＆製本サービスＡ１４のサイトにアクセスしなくても、ＩＣカード９内のＸＭＬデータを用いて、プリント＆製本サービスＡ１４における各設定を図５の操作画面上で設定可能になる。
【００４７】
次に、ＩＣカード９内に保存されている操作者別サービス一覧情報１１の詳細について図６を参照しながら説明する。図６は図１のＩＣカード９内に保存されている操作者別サービス一覧情報１１の詳細内容を示す図である。
【００４８】
例えば、ユーザＩＤ２３４５６  Ｋａｄｏｗａｋｉを有する操作者のＩＣカード９内に保存されている操作者別サービス一覧情報１１には、図６に示すように、登録されているパーソナライズドサービスの数を示す登録サービス数「６」が保存され、そのルートには、各パーソナライズドサービス情報５２，５３，５４，…などがリンクされている。パーソナライズドサービス情報５２には、パーソナライズドサービスキー２５に割り当てられているパーソナライズドサービスの設定項目の項目ＩＤ５５、その設定項目の名称５６、およびその設定項目の設定値の初期値５７が含まれる。また、パーソナライズドサービス情報５３，５４，…にも、同様に、対応するパーソナライズドサービスキーに割り当てられているパーソナライズドサービスの設定項目の項目ＩＤ、その設定項目の名称、およびその設定項目の設定値の初期値が含まれる。
【００４９】
また、本実施形態においては、各パーソナライズドサービス情報５２，５３，５４，…内には、ＵＩＤ／Ｐａｓｓｗｏｒｄ項目があり、ＵＩＤ／Ｐａｓｓｗｏｒｄ項目には、対応するサービスに接続する場合に使用されるユーザＩＤとパスワードが記載されている。例えば、パーソナライズドサービス情報５２においては、サービスＡに接続する場合に使用されるユーザＩＤとして２３４５６  ｋａｄｏｗａｋｉ、パスワードとしてｘｘｘｘが記載されている。一方、パーソナライズドサービス情報５４においては、サービスＢに接続する場合のユーザＩＤとして２３４５６７８９、パスワードとしてｙｙｙｙｙが記載されている。ここでは、サービス毎にユーザＩＤやパスワードが異なるが、これはユーザＩＤやパスワードが各サービスに応じて決定されるためである。
【００５０】
このように、本実施形態では、各サービスに接続する場合の認証情報がパーソナライズドサービス情報にそれぞれ保持され、それが各サービスに接続する場合の認証時に使用されるように構成されている。これにより、ユーザが自身のＩＣカードを画像読取装置１に装着した際に、パスワード入力により当該ユーザが装着されたＩＣカードの正当な所有者であるとの認証処理が行われると、各サービスへの接続時には、サービス毎のユーザＩＤやパスワードを入力する必要がなく、サービスへの接続時に必要な操作に掛かる手間を軽減することができる。
【００５１】
また、これに代えて、セキュリティをより向上させるために、サービスへの接続時に、対応するユーザＩＤやパスワードを入力する方式を採用してもよい。また、各サービスへの接続時に、サービス毎のユーザＩＤやパスワードを入力し、さらに、パーソナライズドサービス情報の中のユーザＩＤやパスワードも送るように構成してもよい。この構成の場合、ＩＣカードを所有していないユーザが各サービスにアクセスすることを未然に防止することが可能になる。
【００５２】
また、パーソナライズドサービス情報５３，５４は、パーソナライズドサービスキー２６，２７に対応するものである。
【００５３】
なお、各パーソナライズドサービスにおいて、同じ設定項目については、同じ項目ＩＤを割り付けることにより、異なるサービス間で設定を流用し易くしている。例えば、パーソナライズドサービス５２はサービスＡに接続するものであり、パーソナライズドサービス５４はサービスＢに接続するものであって接続先は異なるが、『部数』という設定項目には同じ項目ＩＤである『３』を使用している。一方、『製本』などは、ポスター印刷には該当項目がない。
【００５４】
また、各パーソナライズドサービス情報内には、そのパーソナライズドサービス名称が１行目に保持されていて、本実施形態においては、その名称が、図３のキー名称や、図５のパーソナライズドサービス名称として使用される。この名称は、本実施形態においては、所定画面（図示せず）において新規のパーソナライズドサービスが登録されるときに、操作者自身が命名するように構成されている。これに代えて、図６の各パーソナライズドサービスの代表的設定項目の設定値に基づいて、画像読取装置１が自動的に名称を命名するようにしてもよい。前者は、任意の名前を付けられるという利点があり、後者は、名前を入力する手間が省けるという利点がある。
【００５５】
次に、ＩＣカード９内の操作者情報１０について図７を参照しながら説明する。図７はＩＣカード９内の操作者情報１０の構成を模式的に示す図である。
【００５６】
操作者情報１０には、図７に示すように、操作者がこのＩＣカード９の正当な所有者であるか否かを識別するためのカードパスワードが含まれており、このカードパスワードは図２のパスワード確認の際に使用される。また、操作者情報１０には、このＩＣカード９を特定するためのＵｓｅｒ  ＩＤが含まれている。また、操作者情報１０には、配送先として、このＩＣカード９の所有者のオフィスの所在が、費用負担元として、このＩＣカード９の所有者が所属する組織コードが、発注者として、このＩＣカード９の所有者の名称がそれぞれ含まれている。これらの情報は、インターネットサービスを使用するにあたり、通常必要となる情報であり、また、操作者毎に異なるが、同じ操作者の場合には変化しない共通情報である。本実施形態において、操作者情報１０に含まれているこれらの共通情報は、所定画面（図示せず）上で新たなパーソナライズドサービスを作成する場合に、各項目のデフォルト値として使用される。これにより、新たなパーソナライズドサービスを作成する場合に、入力量を軽減させることができる。
【００５７】
次に、本画像読取装置１の制御について図８を参照しながら説明する。図８は図１の画像読取装置の制御の手順を示すフローチャートである。本図に示す手順は、制御部６により実行されるものである。
【００５８】
画像読取装置１が起動されると、図８に示すように、制御部６は、まず、ステップＳ１０１において、ＩＣカード９がＩＣカードリーダ／ライタ部８に装着されているか否かをチェックする。ここで、ＩＣカード９が装着されていなければ、制御部６は、ステップＳ１０２において、他の処理を行い、そして、処理をステップＳ１０１に戻す。
【００５９】
これに対し、ＩＣカード９が装着されている場合には、制御部６は、ステップＳ１０３において、図２で説明したＩＣカード用の操作画面を表示し、当該操作画面上にユーザによりパスワードが入力されると、入力されたパスワードと、ＩＣカード９内に保持されているカードパスワードとの照合を行う。この照合結果、操作者がＩＣカード９の正当な所有者であると確認された場合には、制御部６は、ステップＳ１０４において、ＩＣカード９に保持されている操作者別のサービス一覧情報に基づいて、ユーザ毎にパーソナライズされたサービス一覧画面（図３または図４に示す画面）を表示する。
【００６０】
次いで、制御部６は、ステップＳ１０５において、パーソナライズドサービスが一覧表示されている図３または図４の画面上での操作者によるサービス選択操作を受け付ける。続いで、制御部６は、ステップＳ１０６において、操作者により選択されたサービスのパーソナライズされた項目設定画面（図６に示す）を表示し、必要に応じて、ユーザによる各設定値の変更を受け付ける。そして、制御部６は、ステップＳ１０７において、操作者による指示が発注指示であるか設定の保存指示であるかを判別する。
【００６１】
ここで、操作者の指示が設定の保存指示である場合、制御部６は、ステップＳ１０９において、保存画面（図示せず）への切り替えを行い、保存指示時における操作部５で設定されている各設定値を新規のパーソナライズドサービスとしてサービス一覧情報に新規追加するかまたは操作者指示により既存のものと置き換える。そして、制御部６は、処理を上記ステップＳ１０７に戻す。これに対し、上記ステップＳ１０７において操作者による指示が発注指示であると判別された場合、制御部６は、ステップＳ１０８において、画像読取部２で紙原稿を読み取り、その画像データと、上記ステップＳ１０６で指定されたサービスにおける設定された各種設定値とを、インターネット１３上の指定されたサービスに送信して発注を行う。そして、制御部６は、処理を上記ステップＳ１０１に戻す。
【００６２】
このように、本実施形態では、読み取られた画像データをインターネット上のサービスに対して直接送信する際に必要な各種設定に関する操作性を向上させることができる。
【００６３】
（第２実施形態）
次に、本発明の第２実施形態について図９を参照しながら説明する。図９は本発明の第２実施形態に係る画像読取装置を含む画像読取システムの構成を示すブロック図である。
【００６４】
上記第１実施形態においては、接触式のＩＣカード９と接触式のＩＣカードリーダ／ライタ部８が用いられている。この点、本実施形態においては、非接触式の無線方式のＩＣカード６２と無線方式のＩＣカードリーダ／ライタ部６１が用いられている。これ以外のブロックなどは、上記第１実施形態と同じ構成、機能を有し、同一のものには、同一の符号が付されている。
【００６５】
第１実施形態のような接触方式は、無線方式に比して、コストが安く、また無線方式の場合に発生し得る混信がないという利点を有するが、無線方式の場合は、ＩＣカードをＩＣカードリーダ／ライタ部に装着することなく、ＩＣカード６２を、ＩＣカードリーダ／ライタ部６１の近傍に近づけるのみで、ＩＣカード６２に対する読み書きを行うことが可能になり、操作性が優れている。また、非接触式のためＩＣカード６２が壊れ難く、またＩＣカード６２を画像読取装置１に装着したまま取り忘れるということがない。
【００６６】
また、本実施形態に用いられる無線方式としては、非接触で、操作者情報１０とサービス一覧情報１１とをやり取り可能なものであれば、どのような方式を用いてもよい。例えば、Ｂｌｕｅｔｏｏｔｈ、ＩｒＤＡ（赤外線通信）などの無線通信方式が用いられる。
【００６７】
（第３実施形態）
次に、本発明の第３実施形態について図１０および図１１を参照しながら説明する。図１０は本発明の第３実施形態に係る画像読取装置を含む画像読取システムの構成を示すブロック図、図１１は図１０の画像読取装置の制御の手順を示すフローチャートである。本図に示す手順は、制御部６により実行されるものである。なお、本実施形態において、上記第１実施形態と同じ構成、機能を有するものには、同一の符号が付されており、それらの説明は省略する。
【００６８】
上記第１実施形態においては、ＩＣカード９から操作者別のサービス一覧情報が取得されるのに対し、本実施形態においては、イントラネット７３上のパーソナライズサーバ７４から操作者別かつ装置別のサービス一覧情報７５が取得される。上記第１実施形態のようにＩＣカード９から操作者別のサービス一覧情報を取得する方式の場合は、パーソナライズサーバが不要である。これに対し、本実施形態のように、パーソナライズサーバ７４から操作者別かつ装置別のサービス一覧情報を取得する方式の場合は、サービス一覧情報のサイズがＩＣカードの記憶サイズの制限を受けないという利点と、操作者別かつ装置別のサービス一覧情報をパーソナライズサーバ７４において集中管理できるという利点と、装置毎に最適化されたサービス一覧情報を配信することができるという利点と、各サービス一覧情報をパーソナライズサーバ７４上で新規作成／編集し易いという利点がある。
【００６９】
イントラネット７３上には、他の画像読取装置７１や他の画像形成装置７２が存在し、これらの装置においても、画像読取装置１と同様に、パーソナライズサーバ７４を用いて、それらの装置で使用するサービスのパーソナライズを行うことが可能である。
【００７０】
画像読取装置１が起動されると、図１１に示すように、制御部６は、まず、ステップＳ２０１において、ＩＣカード９がＩＣカードリーダ／ライタ部８に装着されているか否かをチェックする。ここで、ＩＣカード９が装着されていなければ、制御部６は、ステップＳ２０２において、他の処理を行い、そして、処理をステップＳ２０１に戻す。
【００７１】
これに対し、ＩＣカード９が装着されている場合には、制御部６は、ステップＳ２０３において、図２で説明したＩＣカード用の操作画面を表示し、当該操作画面上にユーザによりパスワードが入力されると、入力されたパスワードと、ＩＣカード９内に保持されているカードパスワードとの照合を行う。この照合結果、操作者がＩＣカード９の正当な所有者であると確認された場合には、制御部６は、ステップＳ２０４において、装置ＩＤと、ＩＣカード９内のカードＩＤと、操作者により入力されたパスワードとを暗号化してパーソナライズサーバ７４に送信する。パーソナライズサーバ７４では、受信したカードＩＤとパスワードに基づいて正しい操作者か否かの認証を行い、正しい操作者の場合には、パーソナライズサーバ７４に保持されている、各操作者別のサービス一覧情報７５のうち、受信した装置ＩＤに対応するサービス一覧情報を、画像読取装置１に送信する。
【００７２】
制御部６は、ステップＳ２０５において、パーソナライズサーバ７４からのサービス一覧情報を受信し、受信したサービス一覧情報に基づいて、第１実施形態のステップＳ１０４と同様に、パーソナライズされたサービスの一覧表示を行う。このように、本実施形態では、装置ＩＤをパーソナライズサーバ７４に送信し、その装置ＩＤに対応するサービス一覧情報を受信するように構成されている。これは、画像読取機能のみを有する装置において、画像形成系のサービスを受信して表示しても仕方ないので、そのサービスにおいて使用可能なサービスのみを表示した方が使い易いという利点があるためである。
【００７３】
次いで、制御部６は、ステップＳ２０６において、パーソナライズドサービスが一覧表示されている図３または図４の画面上での操作者によるサービス選択操作を受け付ける。続いで、制御部６は、ステップＳ２０７において、操作者により選択されたサービスのパーソナライズされた項目設定画面（図６に示す）を表示し、必要に応じて、ユーザによる各設定値の変更を受け付ける。そして、制御部６は、ステップＳ２０８において、操作者による指示が発注指示であるか設定の保存指示であるかを判別する。
【００７４】
ここで、操作者の指示が設定の保存指示である場合、制御部６は、ステップＳ２１０において、保存画面（図示せず）への切り替えを行い、保存指示時における操作部５で設定されている各設定値を新規のパーソナライズドサービスとしてサービス一覧情報に新規追加するかまたは操作者指示により既存のものと置き換える。そして、制御部６は、処理を上記ステップＳ２０８に戻す。これに対し、上記ステップＳ２０８において操作者による指示が発注指示であると判別された場合、制御部６は、ステップＳ２０９において、画像読取部２で紙原稿を読み取り、その画像データと、上記ステップＳ２０７で指定されたサービスにおける設定された各種設定値とを、インターネット１３上の指定されたサービスに送信して発注を行う。そして、制御部６は、処理を上記ステップＳ２０１に戻す。
【００７５】
なお、本実施形態では、装置ＩＤをパーソナライズサーバ７４に送信し、その装置ＩＤに対応するサービス一覧情報を受信するように構成しているが、これに代えて、画像読取装置１は、装置ＩＤを送らずに、その操作者が使用可能な全てのサービス一覧情報をパーソナライズサーバ７４から受信し、自装置で使用可能なサービスを抽出して操作画面に表示するように構成してもよい。この構成の場合、画像読取装置１側の処理が複雑になるものの、パーソナライズサーバ７４側の処理を軽減することができるという利点がある。
【００７６】
また、本実施形態では、パーソナライズサーバ７４が装置ＩＤおよび操作者毎のサービス一覧情報を保持し、画像読取装置１が個々の装置を識別する装置ＩＤをパーソナライズサーバ７４に送信し、その装置ＩＤに対応するサービス一覧情報を受信するように構成することにより、パーソナライズサーバ７４により、各装置で使用可能なサービスを細かく管理することができるという利点がある。これに対し、装置ＩＤの代わりに、装置機種別情報や、機能タイプ情報をパーソナライズサーバ７４に送信し、それらに対応するサービス一覧情報を受信するようにしてもよい。この場合、パーソナライズサーバ７４は、装置ＩＤおよび操作者毎のサービス一覧情報の代わりに、Ａ社のタイプＢのＭＦＰなどという装置機種別で操作者毎に分類されているサービス一覧情報を保持すればよいので、パーソナライズサーバ７４における必要な記憶容量を少なくすることができる。さらに、装置ＩＤの代わりに、機能タイプ情報を送信する方式では、白黒スキャン機能、カラースキャン機能、白黒プリント機能、カラープリント機能、ＦＡＸ機能などの機能タイプ別で操作者毎に分類されているサービス一覧情報を保持すればよいので、必要な記憶容量をさらに少なくすることができるとともに、パーソナライズサーバ７４側で、具体的な装置機種を意識しなくてよいという利点もある。このように、機能タイプ別にサービス一覧情報を保持することにより、例えば、白黒スキャン機能のみを有する装置に対し、カラー情報を扱うサービスを送信することがなくなる。
【００７７】
本実施形態では、ＩＣカード９内のカードＩＤを操作者の識別情報として、パーソナライズサーバ７４に送信するが、ＩＣカード９内から操作者の識別情報を取得する代わりに、操作部５を用いて、操作者にユーザＩＤなどの識別情報を入力させるようにしてもよい。また、指紋認証などのバイオ認証手段により、操作者の識別情報を取得するように構成してもよい。
【００７８】
（第４実施形態）
次に、本発明の第４実施形態について図１２を参照しながら説明する。図１２は本発明の第４実施形態におけるパーソナライズサーバ７４に保持されている操作者別サービス一覧情報１１の詳細内容を示す図である。
【００７９】
本実施形態は、上記第３実施形態に対し、サービス一覧情報の使い方や、サービス一覧情報の内容などのみが異なり、その差違部分のみについて説明する。
【００８０】
上記第３実施形態において、サービス一覧情報は、各操作者が自身で利用頻度が高い設定を保持することを目的として、パーソナライズされているのに対し、本実施形態においては、同じ目的に加えて、各操作者が使用可能なサービスや、各サービスにおいて使用可能な設定項目や設定値を、管理者がパーソナライズサーバ７４で集中管理する目的を達成するように構成されている。これにより、画像読取装置１が共有の装置である場合、これを用いて外部のサービスに接続し、サービスの発注に制限を課すことが可能になる。このため、本実施形態の構成においては、図３で説明した汎用サービスはサポートしない。すなわち、ＩＣカード９を装着し、そのＩＣカード９により操作者が特定され、その操作者は、当該操作者向けにパーソナライズサーバ７４を用いてパーソナライズされたサービスのみを使用可能な構成としている。
【００８１】
また、上記第１〜第３実施形態においては、操作者に対し、各サービスに関する各設定項目の設定値を任意に変更することが許可されているが、本実施形態では、各操作者が使用可能な各サービスに関する各設定項目と設定値とを制限する。具体的には、上記第１〜第３実施形態においては、各サービスに関する各設定項目の初期値５７のみが保持されているが、本実施形態においては、図１２に示すように、それに加えて、各サービスに関する各設定項目のうち、その操作者が使用可能な設定値の制限リスト８１が保持され、図５に相当する、各サービスに関する各設定項目の変更画面において、制限リスト８１の範囲内で、各設定値が選択可能なように構成されている。例えば、図１２のパーソナライズされたサービスにおいて、製本機能の設定値としては、安価な、製本なし／片綴じ／中綴じの中のいずれかのみを選択することはできるが、高価なくるみ製本などは選択することはできない。また、配送先という設定項目については、その設定値は自分自身で固定されていて、この設定項目自体を変更することはできないという制限が課されている。一方、例えば、別の操作者であるＢ部長などに対しては、くるみ製本の選択が許可され、配送先も任意に指示可能にするなどという設定が可能となる。制限リスト８１は、管理者のみが操作者毎にパーソナライズ可能で、その制限リストの範囲内で、各操作者は自分の好みに応じたパーソナライズが可能な構成とされている。
【００８２】
このように本実施形態では、各操作者が使用可能な設定値のリストをパーソナライズサーバ７４に保持するように構成されているが、これに代えて、使用禁止の設定値のリストを保持するようにしてもよい。また、本実施形態では、各操作者が使用禁止されている設定項目については、制限リスト８１に『固定』という値を入れることで、使用禁止にしているが、この代わりに、使用禁止されている設定項目自体をサービス一覧情報から削除するようにしてもよいし、また、使用可能な設定項目や、使用禁止されている設定項目を別途保持するようにしてもよい。
【００８３】
以上の各実施形態では、インターネット上のサービスに適用した場合を説明したが、本発明の原理をイントラネット上のサービスに対して適用してもよいことはいうまでもない。
【００８４】
なお、本発明の目的は、前述した各実施形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００８５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【００８６】
【発明の効果】
以上説明したように、本発明によれば、読み取られた画像データをインターネット上のサービスに対して直接送信する際に必要な各種設定に関する操作性を向上させることができる。
【図面の簡単な説明】
【図１】本発明の第１実施形態に係る画像読取装置を含む画像読取システムの構成を示すブロック図である。
【図２】ＩＣカードリーダ／ライタ部８にＩＣカード９が装着された場合に、操作部５内のタッチパネル付き液晶表示部２１に表示されるＩＣカード関連の操作画面の一例を示す図である。
【図３】２３４５６  ｋａｄｏｗａｋｉというユーザＩＤを有する操作者のサービス一覧画面例を示す図である。
【図４】２３４５７  ＴａｎａｋａというユーザＩＤを有する操作者のサービス一覧画面例を示す図である。
【図５】図３のユーザＩＤ２３４５６  ｋａｄｏｗａｋｉ向けサービス一覧画面において、パーソナライズドサービスキー２５を押下した場合の操作画面例を示す図である。
【図６】図１のＩＣカード９内に保存されている操作者別サービス一覧情報１１の詳細内容を示す図である。
【図７】ＩＣカード９内の操作者情報１０の構成を模式的に示す図である。
【図８】図１の画像読取装置の制御の手順を示すフローチャートである。
【図９】本発明の第２実施形態に係る画像読取装置を含む画像読取システムの構成を示すブロック図である。
【図１０】本発明の第３実施形態に係る画像読取装置を含む画像読取システムの構成を示すブロック図である。
【図１１】図１０の画像読取装置の制御の手順を示すフローチャートである。
【図１２】本発明の第４実施形態におけるパーソナライズサーバ７４に保持されている操作者別サービス一覧情報１１の詳細内容を示す図である。
【符号の説明】
１  画像読取装置
２  画像読取部
５  操作部
６  制御部
７  ネットワークＩ／Ｆ
８  ＩＣカードリーダ／ライタ部
９  ＩＣカード
１３  インターネット
１４  プリント＆製本サービスＡ
１５  プリント＆製本サービスＢ
１６  消耗品注文サービス
１７  コンテンツ配信サービスＤ
１８  文書保管サービスＥ
６１  無線方式ＩＣカードリーダ／ライタ部
６２  無線方式ＩＣカード
７３  イントラネット
７４  パーソナライズサーバ
【図１】
2004312302.tif 000003
【図２】
2004312302.tif 000004
【図３】
2004312302.tif 000005
【図４】
2004312302.tif 000006
【図５】
2004312302.tif 000007
【図６】
2004312302.tif 000008
【図７】
2004312302.tif 000009
【図８】
2004312302.tif 000010
【図９】
2004312302.tif 000011
【図１０】
2004312302.tif 000012
【図１１】
2004312302.tif 000013
【図１２】
2004312302.tif 000014